(57)【要約】【課題】喘息の発生をより効果的に抑えることの可能なマスクを提供する。【解決手段】マスクは、マスク本体と、通気遮断シートとを備えている。マスク本体は、鼻および口を覆うためのものであり、複数枚のガーゼを積層して構成されている。通気遮断シートは、マスク本体の内部または外側の面に設けられており、通気遮断シートには、通気性がない。通気遮断シートは、マスク本体の全体、または、マスク本体のうち端縁を除く部分の通気を遮断する。【選択図】図１
2017222960.tif 000002
【特許請求の範囲】
【請求項１】
複数枚の通気性シートを積層して構成され、鼻および口を覆うためのマスク本体と、
前記マスク本体の内部または外側の面に設けられ、前記マスク本体の全体、または、前記マスク本体のうち端縁を除く部分の通気を遮断する、通気性の無い通気遮断シートと
を備えたマスク。
【請求項２】
前記通気遮断シートが前記マスク本体の内部に設けられている場合に、
前記マスク本体は、前記通気遮断シートの出し入れを可能にする開口部を有する
請求項１に記載のマスク。
【請求項３】
通気性の無い通気遮断シートで構成され、鼻および口を覆うためのマスク本体を備えたマスク。
【請求項４】
前記マスク本体の上端縁または前記通気遮断シートの上端縁に設けられ、前記マスク本体の上端縁の、顔表面への密着を維持するための可撓性補強片と、
前記マスク本体のうち、上端縁を除く端縁全体に設けられ、前記マスク本体とともに所定の空隙を形成する弾性通気体と
をさらに備えた
請求項１ないし請求項３のいずれか一項に記載のマスク。
【請求項５】
前記通気遮断シートは、可撓性の樹脂シートによって構成されている
請求項１ないし請求項５のいずれか一項に記載のマスク。
【請求項６】
前記弾性通気体は、前記マスク本体のうち、上端縁を除く端縁全体が顔表面に密着したときに、呼吸に応じて前記マスク本体が顔表面に密着するのを妨げる厚さと、呼吸に応じて外気と前記空隙との通気が得られる通気性とを有する
請求項１ないし請求項５のいずれか一項に記載のマスク。
【請求項７】
前記弾性通気体は、スポンジによって構成されている
請求項６に記載のマスク。
【請求項８】
前記マスク本体の左右端縁に設けられた、長さ調節機構を有する一対の掛け紐をさらに備えた
請求項１ないし請求項７のいずれか一項に記載のマスク。
【発明の詳細な説明】
【技術分野】
【０００１】  本発明は、喘息の原因となり易い埃や冷気が直接、鼻や口に入り難いマスクに関する。
【背景技術】
【０００２】  喘息の原因となる埃や冷気を防止するために、通常、衛生マスクが用いられる。衛生マスクの本体には、主にガーゼが用いられる。ガーゼは、綿製の目が粗い編布である。そのため、ガーゼは、そのまま埃や冷気を通してしまうので、喘息の患者は、衛生マスクをそのまま使用すると、埃や冷気をそのまま吸い込み、喘息の発生を抑えることができない。そこで、例えば、特許文献１で提案されているように、多数の穴の開いたアルミニウムシートをガーゼの間に挟み込むなどの工夫をすることが考えられる。特許文献１に記載のマスクでは、喘息の患者がマスクを介して冷気を吸気したとき、冷気の通り道がアルミニウムシートに設けられた多数の穴に制限されるので、マスクの中の空気の温度を呼気の温度と略同じにすることができるとしている。
【先行技術文献】
【特許文献】
【０００３】
【特許文献１】特開２００４−３４４４９２号公報
【発明の概要】
【発明が解決しようとする課題】
【０００４】  しかし、特許文献１に記載のマスクでは、空気の通り道が狭くなっているとはいえ、鼻や口のすぐ近くに、空気の通り道が設けられている。そのため、喘息の患者は、埃や冷気をそのまま吸い込んでしまい、喘息の発生を抑えることが難しい。従って、喘息の発生をより効果的に抑えることの可能なマスクを提供することが望ましい。
【課題を解決するための手段】
【０００５】  本発明の第１の実施の形態に係るマスクは、マスク本体と、通気遮断シートとを備えている。マスク本体は、鼻および口を覆うためのものであり、複数枚の通気性シートを積層して構成されている。通気遮断シートは、マスク本体の内部または外側の面に設けられており、通気遮断シートには、通気性がない。そのため、通気遮断シートは、マスク本体の全体、または、マスク本体のうち端縁を除く部分の通気を遮断する。【０００６】  本発明の第２の実施の形態に係るマスクは、マスク本体を備えている。マスク本体は、鼻および口を覆うためのものであり、通気性の無い通気遮断シートで構成されている。【０００７】  本発明の第１および第２の実施の形態に係るマスクは、可撓性補強片と、弾性通気体とを備えていることが好ましい。可撓性補強片は、マスク本体の上端縁の、顔表面への密着を維持するためのものであり、マスク本体の上端縁または通気遮断シートの上端縁に設けられている。弾性通気体は、マスク本体のうち、上端縁を除く端縁全体に設けられており、マスク本体とともに所定の空隙を形成する。【０００８】  通気遮断シートは、穴のない可撓性の樹脂シートによって構成されていることが好ましい。マスク本体の内部に通気遮断シートが設けられている場合には、マスク本体は、通気遮断シートの出し入れを可能にする開口部を有していてもよい。弾性通気体は、マスク本体のうち、上端縁を除く端縁全体が顔表面に密着したときに、呼吸に応じてマスク本体が顔表面に密着するのを妨げる厚さと、呼吸に応じて外気と空隙との通気が得られる通気性とを有していることが好ましい。弾性通気体は、例えば、上記厚さおよび上記通気性を有するスポンジによって構成されている。本発明の第１および第２の実施の形態に係るマスクは、マスク本体の左右端縁に設けられた、長さ調節機構を有する一対の掛け紐をさらに備えていることが好ましい。【０００９】  本発明の第１の実施の形態に係るマスクでは、マスク本体の全体、または、マスク本体のうち端縁を除く部分の通気を遮断する通気性のない通気遮断シートが設けられている。これにより、マスク本体のうち、鼻や口のすぐ近くには、埃や冷気の通り道が存在しない。【００１０】  本発明の第２の実施の形態に係るマスクでは、マスク本体が通気性のない通気遮断シートで構成されている。これにより、鼻や口のすぐ近くには、埃や冷気の通り道が存在しない。
【発明の効果】
【００１１】  本発明の第１および第２の実施の形態に係るマスクによれば、マスク本体のうち、鼻や口のすぐ近くには、埃や冷気の通り道が存在しないようにしたので、喘息の患者が埃や冷気をそのまま吸い込んでしまうおそれがない。その結果、喘息の発生をより効果的に抑えることができる。【００１２】  本発明の第１および第２の実施の形態に係るマスクにおいて、マスク本体のうち、上端縁を除く端縁全体に、弾性通気体が設けられるとともに、マスク本体の上端縁または通気遮断シートの上端縁に、可撓性補強片が設けられている場合には、マスク本体と顔表面との間に、密閉された空隙が形成されるとともに、密閉された空隙と、外気との通気が、鼻や口から離れた位置に設けられた弾性通気体によって得られる。これにより、鼻や口から離れた位置に、密閉された空隙と、外気との通気経路が存在するので、喘息の患者が埃や冷気をそのまま吸い込んでしまうおそれがない。その結果、喘息の発生をより効果的に抑えることができる。【００１３】  本発明の第１および第２の実施の形態に係るマスクにおいて、通気遮断シートが、可撓性の樹脂シートによって構成されている場合には、樹脂シートの剛性によって、呼吸に応じてマスク本体が顔表面に密着するのを抑制することができる。【００１４】  本発明の第１の実施の形態に係るマスクにおいて、マスク本体が通気遮断シートの出し入れを可能にする開口部を有している場合には、マスク本体から通気遮断シートを取り出した上で、マスク本体を洗うことができるので、マスク本体に付着した埃や汚れによる喘息の発生を抑制することができる。なお、通気遮断シートが、マスク本体内に通気遮断シートを入れたままで、マスク本体を洗うことができるような素材で構成されている場合には、マスク本体に上記の開口部が設けられていなくてもよい。【００１５】  本発明の第１および第２の実施の形態に係るマスクにおいて、弾性通気体が、マスク本体のうち、上端縁を除く端縁全体が顔表面に密着したときに、呼吸に応じてマスク本体が顔表面に密着するのを妨げる厚さと、呼吸に応じて外気と空隙との通気が得られる通気性とを有している場合には、喘息の発生をより効果的に抑えることができるだけでなく、楽に呼吸をすることができる。【００１６】  本発明の第１および第２の実施の形態に係るマスクにおいて、弾性通気体が上述した厚さおよび通気性を有するスポンジによって構成されている場合には、安価な材料で通気を確保することができる。【００１７】  本発明の第１および第２の実施の形態に係るマスクが、マスク本体の左右端縁に設けられた、長さ調節機構を有する一対の掛け紐をさらに備えている場合には、マスクの密着性を容易に調整することができる。その結果、弾性通気体以外の箇所からの意図しない通気を防ぐことができるので、喘息の発生をより効果的に抑えることができる。
【図面の簡単な説明】
【００１８】
【図１】本発明の第１の実施の形態にかかるマスクの斜視構成例を表す図である。
【図２】図１の通気遮断シートの斜視構成例を表す図である。
【図３】図１の通気遮断シートの斜視構成例を表す図である。
【図４】本発明の第２の実施の形態にかかるマスクの斜視構成例を表す図である。
【図５】本発明の第３の実施の形態にかかるマスクの斜視構成例を表す図である。
【図６】図１の通気遮断シートの斜視構成の一変形例を表す図である。
【図７】図４の通気遮断シートの斜視構成の一変形例を表す図である。
【図８】図５の通気遮断シートの斜視構成の一変形例を表す図である。
【発明を実施するための形態】
【００１９】  以下、本発明を実施するための形態について、図面を参照して詳細に説明する。以下の説明は本発明の一具体例であって、本発明は以下の態様に限定されるものではない。また、本発明は、各図に示す各構成要素の配置や寸法、寸法比などについても、それらに限定されるものではない。
【００２０】＜第１の実施の形態＞
［構成］
本発明の第１の実施の形態に係るマスク１の構成について説明する。図１は、マスク１の斜視構成例を表したものである。マスク１は、マスク本体１０と、通気遮断シート２０と、可撓性補強片３０と、弾性通気体４０と、一対の掛け紐５０とを備えている。
【００２１】  マスク本体１０は、鼻および口を覆うためのものであり、複数枚の通気性シートを積層して構成されている。マスク本体１０に用いられる通気性シートとしては、例えば、ガーゼ、または、不織布が挙げられる。マスク本体１０は、例えば、方形状となっており、マスク本体１０の端縁は、上端縁、下端縁、右端縁および左端縁によって構成されている。
【００２２】  図２は、通気遮断シート２０の斜視構成例を表したものである。通気遮断シート２０は、マスク本体１０の内部に設けられている。通気遮断シート２０には、通気性がない。そのため、通気遮断シート２０は、マスク本体１０の全体、または、マスク本体１０のうち端縁を除く部分の通気を遮断する。通気遮断シート２０がマスク本体１０と同程度の大きさとなっている場合には、通気遮断シート２０は、マスク本体１０の全体の通気を遮断する。通気遮断シート２０がマスク本体１０よりも一回り小さな大きさとなっている場合には、通気遮断シート２０は、マスク本体１０のうち端縁を除く部分の通気を遮断する。通気遮断シート２０は、通気遮断シート２０の端縁のうち、左右端縁および下端縁が弾性通気体４０と対向するように配置されていることが好ましい。通気遮断シート２０は、マスク本体１０のうち、弾性通気体４０と非対向の領域の通気を遮断するように構成されていてもよい。通気遮断シート２０は、マスク本体１０のうち、弾性通気体４０と非対向の領域であって、かつマスク本体１０の上端縁を除く領域の通気を遮断するように構成されていてもよい。通気遮断シート２０は、穴のない可撓性の樹脂シートによって構成されていることが好ましい。
【００２３】  可撓性補強片３０は、マスク本体１０の上端縁の、顔表面への密着を維持するためのものであり、マスク本体１０の上端縁に設けられている。可撓性補強片３０は、例えば、マスク本体１０の内部に設けられている。可撓性補強片３０は、例えば、針金や、可撓性の棒状の樹脂などによって構成されている。なお、可撓性補強片３０は、通気遮断シート２０の上端縁に貼り合わされていてもよい。
【００２４】  弾性通気体４０は、マスク本体のうち、上端縁を除く端縁全体に設けられており、マスク本体１０とともに所定の空隙を形成する。弾性通気体４０は、マスク本体１０のうち、上端縁を除く端縁全体が顔表面に密着したときに、呼吸に応じてマスク本体１０が顔表面に密着するのを妨げる厚さと、呼吸に応じて外気と空隙との通気が得られる通気性とを有していることが好ましい。弾性通気体４０は、例えば、そのような厚さおよび通気性を有するスポンジによって構成されている。弾性通気体４０は、右端縁から下端縁を経由して左端縁まで延在する帯状の部材によって構成されていてもよいし、右端縁、下端縁および左端縁ごとに別体で設けられた複数の帯状の部材を連結することによって構成されていてもよい。弾性通気体４０は、均一な厚さとなっていてもよいし、右端縁および左端縁と、下端縁とで異なる厚さとなっていてもよい。
【００２５】  一対の掛け紐５０は、マスク本体１０の左右端縁に設けられている。一対の掛け紐５０は、長さ調節機構５１を有していることが好ましい。長さ調節機構５１は、例えば、樹脂製の筒によって構成されている。樹脂製の筒には、切断された掛け紐の両端が、互いに異なる方向から挿通されている。樹脂製の筒には掛け紐の一端が接着固定されており、掛け紐の他端が樹脂製の筒の内面の摩擦によって固定される。
【００２６】［効果］
次に、本実施の形態に係るマスク１の効果について説明する。
【００２７】  喘息の原因となる埃や冷気を防止するために、通常、衛生マスクが用いられる。衛生マスクの本体には、主にガーゼが用いられる。ガーゼは、綿製の目が粗い編布である。そのため、ガーゼは、そのまま埃や冷気を通してしまうので、喘息の患者は、衛生マスクをそのまま使用すると、埃や冷気をそのまま吸い込み、喘息の発生を抑えることができない。そこで、例えば、特許文献１で提案されているように、多数の穴の開いたアルミニウムシートをガーゼの間に挟み込むなどの工夫をすることが考えられる。特許文献１に記載のマスクでは、喘息の患者がマスクを介して冷気を吸気したとき、冷気の通り道がアルミニウムシートに設けられた多数の穴に制限されるので、マスクの中の空気の温度を呼気の温度と略同じにすることができるとしている。
【００２８】  しかし、特許文献１に記載のマスクでは、空気の通り道が狭くなっているとはいえ、鼻や口のすぐ近くに、空気の通り道が設けられている。そのため、喘息の患者は、埃や冷気をそのまま吸い込んでしまい、喘息の発生を抑えることが難しい。
【００２９】  一方、本実施の形態では、マスク本体１０の全体、または、マスク本体１０のうち端縁を除く部分の通気を遮断する通気性のない通気遮断シート２０が設けられている。これにより、マスク本体１０のうち、鼻や口のすぐ近くには、空気の通り道が存在しない。さらに、本実施の形態では、マスク本体１０のうち、上端縁を除く端縁全体には、弾性通気体４０が設けられており、マスク本体１０の上端縁には、可撓性補強片３０が設けられている。これにより、マスク本体１０と顔表面との間に、密閉された空隙が形成されるとともに、密閉された空隙と、外気との通気が、鼻や口から離れた位置に設けられた弾性通気体４０によって得られる。
【００３０】  このように、本実施の形態によれば、鼻や口から離れた位置に、密閉された空隙と、外気との通気経路（弾性通気体４０）を設けるようにしたので、喘息の患者が冷気をそのまま吸い込んでしまうおそれがない。従って、喘息の発生をより効果的に抑えることができる。
【００３１】  本実施の形態において、通気遮断シート２０が、穴のない可撓性の樹脂シートによって構成されている場合には、樹脂シートの剛性によって、呼吸に応じてマスク本体１０が顔表面に密着するのを抑制することができる。
【００３２】  本実施の形態において、マスク本体１０が通気遮断シート２０の出し入れを可能にする開口部１１を有している場合には、マスク本体１０から通気遮断シート２０を取り出した上で、マスク本体１０を洗うことができるので、マスク本体１０に付着した埃や汚れによる喘息の発生を抑制することができる。なお、通気遮断シート２０が、マスク本体１０内に通気遮断シート２０を入れたままで、マスク本体１０を洗うことができるような素材で構成されている場合には、マスク本体１０に開口部１１が設けられていなくてもよい。
【００３３】  本実施の形態において、弾性通気体４０が、マスク本体１０のうち、上端縁を除く端縁全体が顔表面に密着したときに、呼吸に応じてマスク本体１０が顔表面に密着するのを妨げる厚さと、呼吸に応じて外気と空隙との通気が得られる通気性とを有している場合には、喘息の発生をより効果的に抑えることができるだけでなく、楽に呼吸をすることができる。
【００３４】  本実施の形態において、弾性通気体４０が、上述した厚さおよび通気性を有するスポンジによって構成されている場合には、安価な材料で通気を確保することができる。
【００３５】  本実施の形態では、長さ調節機構５１を有する一対の掛け紐５０が設けられているので、マスク１の密着性を容易に調整することができる。その結果、弾性通気体４０以外の箇所からの意図しない通気を防ぐことができるので、喘息の発生をより効果的に抑えることができる。
【００３６】  本実施の形態において、可撓性補強片３０が通気遮断シート２０の上端縁に貼り合わされている場合には、可撓性補強片３０をマスク本体１０に固定する必要がない。可撓性補強片３０をマスク本体１０に固定する際には、マスク本体１０のうち、可撓性補強片３０と接する箇所に、接着剤を塗布する必要がある。マスク本体１０に付着した接着剤は経年劣化により、黄色く変色し易い。接着剤の変色は、マスク本体１０の汚れのように見え、マスク１の清潔感を損なってしまう。しかし、本実施の形態において、可撓性補強片３０が通気遮断シート２０の上端縁に貼り合わされている場合には、接着剤の変色は、マスク本体１０に影響しないので、マスク１の清潔感を損なうおそれがない。また、可撓性補強片３０が通気遮断シート２０の上端縁に貼り合わされている場合には、通気遮断シート２０の位置決めをするだけで、可撓性補強片３０の位置決めも同時に行うことができる。そのため、可撓性補強片３０をマスク本体１０に直接、固定する場合と比べて、マスク１の製造工程を簡素化することができる。
【００３７】＜第２の実施の形態＞
［構成］
本発明の第２の実施の形態に係るマスク２の構成について説明する。図４は、マスク２の斜視構成例を表したものである。マスク２は、上記実施の形態に係るマスク１において、マスク１０の代わりにマスク本体６０を備えたものである。
【００３８】  マスク本体６０は、鼻および口を覆うためのものであり、通気性の無い通気遮断シートで構成されている。マスク本体６０に用いられる通気遮断シートとしては、例えば、穴のない可撓性の樹脂シートが挙げられる。マスク本体６０（通気遮断シート）は、例えば、方形状となっており、マスク本体６０（通気遮断シート）の端縁は、上端縁、下端縁、右端縁および左端縁によって構成されている。マスク本体６０（通気遮断シート）は、通気性がない。そのため、マスク本体６０（通気遮断シート）は、マスク本体６０（通気遮断シート）の全体の通気を遮断する。可撓性補強片３０は、マスク本体６０の上端縁に貼り合わされている。
【００３９】［効果］
本実施の形態では、マスク本体６０が通気性のない通気遮断シートによって構成されている。これにより、鼻や口のすぐ近くには、冷気の通り道が存在しない。さらに、本実施の形態では、マスク本体６０のうち、上端縁を除く端縁全体には、弾性通気体４０が設けられており、マスク本体６０の上端縁には、可撓性補強片３０が設けられている。これにより、マスク本体６０と顔表面との間に、密閉された空隙が形成されるとともに、密閉された空隙と、外気との通気が、鼻や口から離れた位置に設けられた弾性通気体４０によって得られる。
【００４０】  このように、本実施の形態によれば、鼻や口から離れた位置に、密閉された空隙と、外気との通気経路（弾性通気体４０）を設けるようにしたので、喘息の患者が冷気をそのまま吸い込んでしまうおそれがない。従って、喘息の発生をより効果的に抑えることができる。
【００４１】  本実施の形態において、マスク本体６０（通気遮断シート）が、穴のない可撓性の樹脂シートによって構成されている場合には、樹脂シートの剛性によって、呼吸に応じてマスク本体６０が顔表面に密着するのを抑制することができる。
【００４２】  本実施の形態において、弾性通気体４０が、マスク本体６０のうち、上端縁を除く端縁全体が顔表面に密着したときに、呼吸に応じてマスク本体６０が顔表面に密着するのを妨げる厚さと、呼吸に応じて外気と空隙との通気が得られる通気性とを有している場合には、喘息の発生をより効果的に抑えることができるだけでなく、楽に呼吸をすることができる。
【００４３】  本実施の形態において、弾性通気体４０が、上述した厚さおよび通気性を有するスポンジによって構成されている場合には、安価な材料で通気を確保することができる。
【００４４】  本実施の形態では、長さ調節機構５１を有する一対の掛け紐５０が設けられているので、マスク２の密着性を容易に調整することができる。その結果、弾性通気体４０以外の箇所からの意図しない通気を防ぐことができるので、喘息の発生をより効果的に抑えることができる。
【００４５】＜第３の実施の形態＞
［構成］
本発明の第３の実施の形態に係るマスク３の構成について説明する。図５は、マスク３の斜視構成例を表したものである。マスク３は、上記実施の形態に係るマスク１において、マスク１０の代わりにマスク本体７０および通気遮断シート８０を備えたものである。
【００４６】  マスク本体７０は、鼻および口を覆うためのものであり、複数枚の通気性シートを積層して構成されている。マスク本体７０に用いられる通気性シートとしては、例えば、ガーゼ、または、不織布が挙げられる。マスク本体７０は、例えば、方形状となっており、マスク本体７０の端縁は、上端縁、下端縁、右端縁および左端縁によって構成されている。
【００４７】  通気遮断シート８０は、マスク本体７０の外側の面に設けられたものである。通気遮断シート８０は、例えば、マスク本体７０の外側の面に貼り合わされている。通気遮断シート８０は、マスク本体７０の全体、または、マスク本体７０のうち端縁を除く部分の通気を遮断する。通気遮断シート８０がマスク本体７０と同程度の大きさとなっている場合には、通気遮断シート８０は、マスク本体７０の全体の通気を遮断する。通気遮断シート８０がマスク本体７０よりも一回り小さな大きさとなっている場合には、通気遮断シート８０は、マスク本体７０のうち端縁を除く部分の通気を遮断する。通気遮断シート８０は、通気遮断シート８０の端縁のうち、左右端縁および下端縁が弾性通気体４０と対向するように配置されていることが好ましい。通気遮断シート８０は、マスク本体７０のうち、弾性通気体４０と非対向の領域の通気を遮断するように構成されていてもよい。通気遮断シート８０は、マスク本体７０のうち、弾性通気体４０と非対向の領域であって、かつマスク本体７０の上端縁を除く領域の通気を遮断するように構成されていてもよい。通気遮断シート８０は、穴のない可撓性の樹脂シートによって構成されていることが好ましい。可撓性補強片３０は、マスク本体７０の上端縁、または、通気遮断シート８０の上端縁に貼り合わされている。
【００４８】［効果］
本実施の形態では、マスク本体７０の全体、または、マスク本体７０のうち端縁を除く部分の通気を遮断する通気性のない通気遮断シート８０が設けられている。これにより、マスク本体７０のうち、鼻や口のすぐ近くには、空気の通り道が存在しない。さらに、本実施の形態では、マスク本体７０のうち、上端縁を除く端縁全体には、弾性通気体４０が設けられており、マスク本体７０の上端縁、または、通気遮断シート８０の上端縁には、可撓性補強片３０が設けられている。これにより、マスク本体７０と顔表面との間に、密閉された空隙が形成されるとともに、密閉された空隙と、外気との通気が、鼻や口から離れた位置に設けられた弾性通気体４０によって得られる。
【００４９】  このように、本実施の形態によれば、鼻や口から離れた位置に、密閉された空隙と、外気との通気経路（弾性通気体４０）を設けるようにしたので、喘息の患者が冷気をそのまま吸い込んでしまうおそれがない。従って、喘息の発生をより効果的に抑えることができる。
【００５０】  本実施の形態において、通気遮断シート８０が、穴のない可撓性の樹脂シートによって構成されている場合には、樹脂シートの剛性によって、呼吸に応じてマスク本体７０が顔表面に密着するのを抑制することができる。
【００５１】  本実施の形態において、弾性通気体４０が、マスク本体７０のうち、上端縁を除く端縁全体が顔表面に密着したときに、呼吸に応じてマスク本体７０が顔表面に密着するのを妨げる厚さと、呼吸に応じて外気と空隙との通気が得られる通気性とを有している場合には、喘息の発生をより効果的に抑えることができるだけでなく、楽に呼吸をすることができる。
【００５２】  本実施の形態において、弾性通気体４０が、上述した厚さおよび通気性を有するスポンジによって構成されている場合には、安価な材料で通気を確保することができる。
【００５３】  本実施の形態では、長さ調節機構５１を有する一対の掛け紐５０が設けられているので、マスク３の密着性を容易に調整することができる。その結果、弾性通気体４０以外の箇所からの意図しない通気を防ぐことができるので、喘息の発生をより効果的に抑えることができる。
【００５４】＜変形例＞
上記第１、第２および第３の実施の形態において、可撓性補強片３０および弾性通気体４０のうち、少なくとも一方が省略されていてもよい。例えば、図６、図７、図８に示したように、可撓性補強片３０および弾性通気体４０の双方が省略されていてもよい。このようにした場合であっても、マスク本体１０，６０，７０のうち、鼻や口のすぐ近くには、埃や冷気の通り道が存在しないので、喘息の患者が埃や冷気をそのまま吸い込んでしまうおそれがない。その結果、喘息の発生を効果的に抑えることができる。
【符号の説明】
【００５５】  １，２，３…マスク、１０，６０，７０…マスク本体、１１…開口部、２０，８０…通気遮断シート、３０…可撓性補強片、４０…弾性通気体、５０…掛け紐、５１…長さ調整機構。
【図１】
2017222960.tif 000003
【図２】
2017222960.tif 000004
【図３】
2017222960.tif 000005
【図４】
2017222960.tif 000006
【図５】
2017222960.tif 000007
【図６】
2017222960.tif 000008
【図７】
2017222960.tif 000009
【図８】
2017222960.tif 000010
【手続補正書】
【提出日】平成28年12月16日(2016.12.16)
【手続補正１】
【補正対象書類名】特許請求の範囲
【補正対象項目名】全文
【補正方法】変更
【補正の内容】
【特許請求の範囲】
【請求項１】
複数枚の通気性シートを積層して構成され、鼻および口を覆うためのマスク本体と、
前記マスク本体の内部または外側の面に設けられ、前記マスク本体の全体、または、前記マスク本体のうち端縁を除く部分の通気を遮断する、通気性の無い通気遮断シートと、
前記マスク本体のうち、上端縁を除く端縁全体に設けられ、前記マスク本体とともに所定の空隙を形成する弾性通気体と
を備え、
前記弾性通気体は、前記マスク本体のうち、上端縁を除く端縁全体が顔表面に密着したときに、呼吸に応じて前記マスク本体が顔表面に密着するのを妨げる厚さと、呼吸に応じて外気と前記空隙との通気が得られる通気性とを有するスポンジによって構成され、
前記弾性通気体は、前記通気遮断シートの端縁のうち、左右端縁および下端縁が当該弾性通気体と対向するように配置されている
マスク。
【請求項２】
前記通気遮断シートが前記マスク本体の内部に設けられている場合に、
前記マスク本体は、前記通気遮断シートの出し入れを可能にする開口部を有する
請求項１に記載のマスク。
【請求項３】
前記マスク本体の上端縁または前記通気遮断シートの上端縁に設けられ、前記マスク本体の上端縁の、顔表面への密着を維持するための可撓性補強片をさらに備えた
請求項１または請求項２に記載のマスク。
【請求項４】
前記通気遮断シートは、可撓性の樹脂シートによって構成されている
請求項１ないし請求項３のいずれか一項に記載のマスク。
【請求項５】
前記マスク本体の左右端縁に設けられた、長さ調節機構を有する一対の掛け紐をさらに備えた
請求項１ないし請求項４のいずれか一項に記載のマスク。